【事件の表示】
　特願２００２−１２８５９４「塗布容器」拒絶査定不服審判事件〔平成１５年１１月１１日出願公開、特開２００３−３２１０７９〕について、次のとおり審決する。
【結　論】
　本件審判の請求は、成り立たない。
【理　由】
１．手続の経緯　
　本願は、平成１４年４月３０日の出願であって、平成１９年１２月７日付けで拒絶査定がされ、これに対して、平成２０年１月１０日に拒絶査定不服審判の請求がなされたものである。　
　　
　　
２．本願発明について　　
　本願の請求項１ないし２に係る発明は、平成１９年８月２日付け手続補正書の特許請求の範囲の請求項１ないし２に記載された事項により特定されるものと認められるところ、請求項１は以下のとおり記載されている。　　
「内容物を充填した充填容器を収納するケースと、このケースの口部に固定保持され充填容器のステムを通して排出された内容物を塗り付ける塗布ヘッドを備えた塗布容器であって、　
　前記ステムを貫通させて充填容器の口部に固定保持されるアダプターと、ケースの口部に枢軸を介して揺動可能に保持されその押圧操作によってアダプターを充填容器とともに押し上げてステムを塗布ヘッドの背面に押し付けて内容物を塗布ヘッドの外表面に排出する押しボタンとを設け、　
　該押しボタンが、枢軸を支点として上下動する揺動アームを備え、　
　前記塗布ヘッドは、排出孔を通して排出された内容物を保持し、広範囲にわたる均一な塗布を可能とする外表面を有することを特徴とする塗布容器。」（以下請求項１に係る発明を「本願発明」という。）　　
　
　
３．引用発明　
（１）これに対して、原審の拒絶査定に引用された実願平２−９８８６９号（実開平４−５７２６４号）のマイクロフィルム（以下「引用例」という。）には図面とともに以下の事項が記載されている。　
　
（ａ）「１．容器本体に対してステムを押入ないしは押入−解放することにより、噴霧容器内の充填液を噴霧する噴霧具であつて、　
  前記押入方向に対して移動可能に容器本体を保持するケース本体と、　
  ケース本体の側壁部に回動軸を介して取り付けられ、回動軸を中心としてケース本体の内部に向けて回動する駆動レバーと、　
  駆動レバーに連結され、駆動レバーの回動により容器本体を前記押入方向に押圧して、容器本体にステムを押入せしめるリンク部材であつて、該押圧時に前記押入方向に対して略直交する方向であつて、かつ、駆動レバーの回動方向と略逆方向に変位可能なリンク部材とを具備したことを特徴とする噴霧具。　
　　　　　　　　　　・・・・・中略　・・・・・　
８．前記噴霧容器が蓄圧式ポンプ容器またはエアゾール容器である請求項１〜７のいずれか一項に記載の噴霧具。」（明細書　第１頁第５行目−第３頁第８行目）　
　
（ｂ）「一方使用時には、ノズルキャップ１５を外し、駆動レバー２１を、第６図に矢印Ｂで示すようにハウジング１１の内部に向けて押し込むことにより、駆動レバー２１が回動軸１７を中心に回動し、ヒンジ部材２３により連結されたリンク部材２５もこれに追従して回動しようとする。このとき、リンク部材２５の押圧部２５ａにより、ポンプ容器本体３１のフランジ３３には第６図に矢印Ｆで示した方向の力が加わる。この力Ｆは、駆動レバー２１の回動により生じることから、ステム３５ａを容器本体３１内（ポンプ部材３５内）に押し下げる方向（力Ｆ１の方向）と完全に一致しない。そこで、力Ｆのポンプ容器本体３１の作動方向の成分Ｆ１により、ポンプ容器本体３１が図中上方に移送されることになる。ポンプ容器のステム３５ａは、ノズル部材１３のストッパ部１３ｂに嵌装され固定されているので、ポンプ容器本体３１の上方への移送に伴ないステム３５ａが容器本体３１内に押入され、さらに駆動レバー２１を元の状態に戻すことにより、噴射口１３ａよりポンプ容器の内容物が噴射される。」　（明細書　第１１頁第６行目−第１２頁第６行目）　　
　
（ｃ）「なお、以上の説明では点鼻用としての利用を中心にして説明したが、本考案はこれに限定されず、小型・手動の噴霧具として、特に人体の腔部等の凹所やデリケートな部分への確実な噴霧剤の適用に好適である。　
　また、薬剤等を収納する容器は、ポンプ容器に限定されず、エアゾール容器等の他の分配容器でもよい。」　（明細書　第１５頁第２０行目−第１６頁第７行目）　
　
　したがって、上記引用例には以下の発明（以下、「引用発明」という。）が記載されている。　
「容器本体３１を収納するハウジング１１と、このハウジング１１の口部に固定保持され容器本体３１のステム３５ａを通して排出された内容物を噴霧するノズル部材１３を備えた噴霧具であって、　
　容器本体３１のフランジ３３と、ケースの口部に揺動可能に保持されその押圧操作によってフランジ３３を容器本体３１とともに押し上げてステム３５ａをノズル部材１３の背面に押し付けて内容物を塗布ヘッドの外表面に排出する駆動レバー２１とを設け、　
　該駆動レバー２１が、リンク側ガイド部２５ｂを支点として上下動するリンク部材の押圧部２５ａを備えた噴霧具」　
　
　
４．対比　
　本願発明と引用発明とを対比するに、引用発明の「容器本体３１」「ハウジング１１」「ノズル部材１３」「ステム３５ａ」「駆動レバー２１」及び「噴霧具」は、本願発明の「内容物を充填した充填容器」「ケース」「塗布ヘッド」「ステム」「押しボタン」及び「塗布容器」にそれぞれ相当する。　
　また、引用例の第３図、第４図、及び記載（ｂ）のリンク部材２５の動きを考慮すれば、リンク部材は、リンク側ガイド部２５ｂを支点として、押圧部２５ａが上下動するように揺動しており、引用発明の「リンク側ガイド部２５ｂ」及び「リンク部材の押圧部２５ａ」は、本願発明の「枢軸」及び「揺動アーム」にそれぞれ相当する。　
　さらに、引用発明のフランジ３３は、引用例の第２図、第３図及び記載（ｂ）を参酌すれば、ポンプ容器本体３１の比較的上部に位置し、フランジ３３を押し上げれば容器本体３１も押し上げられることになることから、「フランジ３３」は本願発明の「アダプター」に相当する。　
　したがって、本願発明と引用発明は、以下の点で一致ないし相違する。　
＜一致点＞　　
「内容物を充填した充填容器を収納するケースと、このケースの口部に固定保持され充填容器のステムを通して排出された内容物を塗布する塗布ヘッドを備えた塗布容器であって、　
　充填容器に固定保持されるアダプターと、ケースの口部に枢軸を介して揺動可能に保持されその押圧操作によってアダプターを充填容器とともに押し上げてステムを塗布ヘッドの背面に押し付けて内容物を塗布ヘッドの外表面に排出する押しボタンとを設け、　
　該押しボタンが、枢軸を支点として上下動する揺動アームを備えた塗布容器。」　
　
＜相違点＞　
　相違点１．本願発明は「ステムを貫通させて充填容器の口部に固定保持されるアダプター」を有しているのに対して、引用発明のフランジ３３は、容器の上部に固定保持されているもののステムを貫通させた形状となっていない点。　
　
　相違点２．本願発明は内容物を塗りつける塗布ヘッドを備え、「塗布ヘッドは、排出孔を通して排出された内容物を保持し、広範囲にわたる均一な塗布を可能とする外表面を有」しているのに対し、引用発明は、内容物を噴霧する塗布ヘッドである点。　
　
　
５．検討  　
　上記相違点について検討する。　
・相違点１について　
　引用発明のフランジ３３は、「ステムを貫通させて充填容器の口部に固定保持されて」はいないものの、第５図を参酌すれば、ステムの中心線の周囲に形成されたものであり、第２図、第３図及び記載（ｂ）を参酌すれば、ポンプ容器本体３１の比較的上部に位置し、フランジ３３を押し上げれば容器本体３１も押し上げられることにより、ステムが押入され、噴霧が行われるものであることから、引用発明のフランジ３３は、本願発明のアダプターと同じ作用効果を生じるものであり、実質的に相違するものではない。　
　したがって、アダプターの形状を「ステムを貫通させ」た形状とするか否かは、当業者が必要に応じて適宜選択する設計的事項に過ぎない。　
　
・相違点２について　
　ステムを通して排出した内容物を塗りつける形式の塗布ヘッドとし、排出された内容物を保持し、広範囲にわたる均一な塗布を可能とする外表面を塗布ヘッドに設けることは、塗布容器の技術分野において、例えば実願昭６１−１９１７０２号（実開昭６３−９８７６１号公報）のマイクロフィルム又は、実願平３−７０９０５号（実開平６−２５１８１号）のＣＤ−ＲＯＭのように、従来周知の技術手段に過ぎない。　
　よって、上記周知技術のような塗布ヘッドを、引用発明のノズル部材に適用して、本願発明の相違点２に係る構成のようにすることは、当業者が容易に想到し得ることである。　
　そして、本願発明が奏する効果も、引用例に記載された発明及び上記周知技術から当業者が予測できたものであり、格別顕著なものとはいえない。　
　
　
６．むすび　
　以上のとおり、本願発明は、引用例に記載された発明及び上記周知技術に基づいて、当業者が容易に発明をすることができたものであるから、特許法第２９条第２項の規定により特許を受けることができない。したがって、他の請求項に係る発明を検討するまでもなく、本願は拒絶すべきものである。　　
　
　よって、結論のとおり審決する。